(57)【要約】【課題】各動作モードの実質的な電池残量を直感的に分かりやすく表示可能する。【解決手段】複数の動作モードを有し２次電池６２を電源として使用する電子時計は、２次電池６２の残量を表示する２時側情報表示部３０と、ユーザーの操作を受けるナビゲーション開始スイッチＢと、ナビゲーション開始スイッチＢが受けたユーザーの操作に応じて、複数の動作モードの中から電子時計が実行する実行動作モードを決定し、実行動作モードに応じて、２時側情報表示部３０での電池の残量の表示を切り替える制御部６と、を含む。【選択図】図４
2017181074.tif 000002
【特許請求の範囲】
【請求項１】
複数の動作モードを有し電池を電源として使用する電子時計であって、
前記電池の残量を表示する表示部と、
ユーザーの操作を受ける操作部と、
前記操作部が受けた前記ユーザーの操作に応じて、前記複数の動作モードの中から前記電子時計が実行する実行動作モードを決定し、前記実行動作モードに応じて、前記表示部での前記電池の残量の表示を切り替える制御部と、
を含むことを特徴とする電子時計。
【請求項２】
前記複数の動作モードの各々には、当該動作モードを実行するために必要な電池残量率の最低レベルが設定されており、
前記電池残量率の最低レベルは、前記動作モードごとに異なっており、
前記制御部は、前記実行動作モードとなった前記動作モードの前記電池残量率の最低レベルに応じて、前記表示部での前記電池の残量の表示を切り替える、
ことを特徴とする請求項１に記載の電子時計。
【請求項３】
前記制御部は、前記電池の残量率が、前記実行動作モードとなった前記動作モードの前記電池残量率の最低レベルになった際に、前記電池の残量の表示が電池残量ゼロを示すように、前記表示部を制御することを特徴とする請求項２に記載の電子時計。
【請求項４】
前記複数の動作モードのうち１つの動作モードは、時刻を表示する時刻表示モードであり、
前記時刻表示モードの前記電池残量率の最低レベルは、前記複数の動作モードのうち前記時刻表示モード以外の動作モードの前記電池残量率の最低レベルよりも低い、
ことを特徴とする請求項２または３に記載の電子時計。
【請求項５】
前記複数の動作モードのうち１つの動作モードは、目的地へのナビゲーションを実行するナビゲーションモードであり、
前記制御部は、前記実行動作モードが前記ナビゲーションモードになった場合、前記電池の残量に応じて前記ナビゲーションモードの実行可能回数を推定し、当該ナビゲーションモードの実行可能回数を、前記電池の残量の表示として前記表示部に表示する、
ことを特徴とする請求項１、２または４に記載の電子時計。
【発明の詳細な説明】
【技術分野】
【０００１】
本発明は、電子時計に関する。
【背景技術】
【０００２】
特許文献１には、目的地へのナビゲーションを液晶表示装置のようなディジタルディスプレイを用いて実行する時計が記載されている。
【先行技術文献】
【特許文献】
【０００３】
【特許文献１】特表２０００−５１２０１４号公報
【発明の概要】
【発明が解決しようとする課題】
【０００４】
ところで、複数の動作モードを有し電池を電源として使用する電子時計（以下「複数動作モード付き電子時計」と称する）においては、時計としての基本機能である時刻表示モード（時刻を表示する動作モード）を、他の動作モードに対して優先させることが考えられる。
【０００５】
例えば、複数動作モード付き電子時計において、電池残量が少なくなるにつれて実行可能な動作モードが減っていき、最終的に時刻表示モードのみが実行可能となるように、動作モードごとに、動作モードを実行可能な電池残量率の最低レベル（以下「最低電池残量率レベル」とも称する）を設定することが考えられる。
【０００６】
一例としては、特許文献１に記載されたようなＧＰＳ機能を利用したナビゲーションを行うナビゲーションモードと、時刻表示モードと、を有する電子時計において、ナビゲーションモードに対しては最低電池残量率レベルとして電池残量率５０％が設定され、時刻表示モードに対しては最低電池残量率レベルとして電池残量率１０％が設定される。
この場合、電池の残量率が１００％〜５０％の間は、ナビゲーションモードと時刻表示モードとのいずれもが実行可能となるが、電池の残量率が５０％〜１０％の間は、時刻表示モードのみが実行可能となる。
【０００７】
しかしながら、動作モードごとに最低電池残量率レベルを設定する場合、複数動作モード付き電子時計において単純に電池残量または電池残量率が表示されると、各動作モードについての実質的な電池残量が直感的に分かりにくくなってしまう。
【０００８】
例えば、上述したように、ナビゲーションモードに対して最低電池残量率レベルとして電池残量率５０％が設定され、時刻表示モードに対して最低電池残量率レベルとして電池残量率１０％が設定されている状況で、電池残量率４８％が表示された場合、利用者は、実際には使用できないナビゲーションモードを使用可能と誤認してしまうおそれがある。
【０００９】
本発明は上述した事情に鑑みてなされたものであり、各動作モードについての実質的な電池残量を直感的に分かりやすく表示可能することを解決課題とする。
【課題を解決するための手段】
【００１０】
本発明に係る電子時計の一態様は、複数の動作モードを有し電池を電源として使用する電子時計であって、前記電池の残量を表示する表示部と、ユーザーの操作を受ける操作部と、前記操作部が受けた前記ユーザーの操作に応じて、前記複数の動作モードの中から前記電子時計が実行する実行動作モードを決定し、前記実行動作モードに応じて、前記表示部での前記電池の残量の表示を切り替える制御部と、を含むことを特徴とする。
この態様によれば、実行動作モードに応じて電池残量の表示が切り替えられるので、各動作モードについての実質的な電池残量を直感的に分かりやすく表示することが可能になる。
【００１１】
上述した電子時計の一態様において、前記複数の動作モードの各々には、当該動作モードを実行するために必要な電池残量率の最低レベルが設定されており、前記電池残量率の最低レベルは、前記動作モードごとに異なっており、前記制御部は、前記実行動作モードとなった前記動作モードの前記電池残量率の最低レベルに応じて、前記表示部での前記電池の残量の表示を切り替えることが望ましい。
この態様によれば、動作モードにおける電池残量率の最低レベルに応じて電池残量の表示が切り替わるので、各動作モードについての実質的な電池残量を直感的に分かりやすく表示することが可能になる。
【００１２】
上述した電子時計の一態様において、前記制御部は、前記電池の残量率が、前記実行動作モードとなった前記動作モードの前記電池残量率の最低レベルになった際に、前記電池の残量の表示が電池残量ゼロを示すように、前記表示部を制御することが望ましい。
この態様によれば、表示部での電池残量ゼロの表示が、動作モードにおける実質的な電池残量ゼロ（電池残量率の最低レベル）に対応するので、各動作モードについての実質的な電池残量を直感的に分かりやすく表示可能になる。
【００１３】
上述した電子時計の一態様において、前記複数の動作モードのうち１つの動作モードは、時刻を表示する時刻表示モードであり、前記時刻表示モードの前記電池残量率の最低レベルは、前記複数の動作モードのうち前記時刻表示モード以外の動作モードの前記電池残量率の最低レベルよりも低いことが好ましい。
この態様によれば、上述した作用効果に加え、電池残量が少なくなっても、複数の動作モードの中で時刻表示モードを優先的に実行できる。このため、時計としての基本機能である時刻表示モードを、他の動作モードに対して優先させることが可能になる。
【００１４】
上述した電子時計の一態様において、前記複数の動作モードのうち１つの動作モードは、目的地へのナビゲーションを実行するナビゲーションモードであり、前記制御部は、前記実行動作モードが前記ナビゲーションモードになった場合、前記電池の残量に応じて前記ナビゲーションモードの実行可能回数を推定し、当該ナビゲーションモードの実行可能回数を、前記電池の残量の表示として前記表示部に表示することが望ましい。
この態様によれば、ナビゲーションモードを実行可能な回数の目安となる推定値を表示するので、ナビゲーションモードをあと何回使用できるかを直感的に分かりやすく表示可能になる。
【図面の簡単な説明】
【００１５】
【図１】第１実施形態に係る電子時計Ｗを示す平面図である。
【図２】各動作モードの最低電池残量率レベルを示した図である。
【図３】電子時計Ｗを含むＧＰＳの全体図である。
【図４】電子時計Ｗの構成図である。
【図５】関係テーブル５ａの一例を示した図である。
【図６】地点登録動作を説明するためのフローチャートである。
【図７】ナビゲーション動作を説明するためのフローチャートである。
【図８】時刻表示モードでの動作を説明するためのフローチャートである。
【図９】電池残量率の表示例を示した図である。
【図１０】電池残量率の表示の他の例を示した図である。
【図１１】目的地管理テーブル５ｂの一例を示した図である。
【図１２】変形例を示した構成図である。
【図１３】第２実施形態に係る電子時計Ｗ１を示す平面図である。
【図１４】電子時計Ｗ１の構成図である。
【図１５】関係テーブル５ｃの一例を示した図である。
【図１６】各動作モードの最低電池残量率レベルを示した図である。
【図１７】電子時計Ｗ１のコンパスモード下での表示例を示した図である。
【図１８】電子時計Ｗ１のナビゲーションモード下での表示例を示した図である。
【発明を実施するための形態】
【００１６】
＜第１実施形態＞
以下、図面を参照しながら本発明に係る実施の形態を説明する。なお、図面において各部の寸法や縮尺は実際のものと適宜異なる。また、以下に記載する実施の形態は、本発明の好適な具体例であるから技術的に好ましい種々の限定が付されているが、本発明の範囲は、以下の説明において特に本発明を限定する旨の記載がない限り、これらの形態に限られるものではない。
【００１７】
図１は、本実施形態に係るセンサー付き電子時計（以下、単に「電子時計」と称する）Ｗを示す平面図である。
【００１８】
＜電子時計Ｗの概要＞
まず、電子時計Ｗの概要を説明する。
電子時計Ｗは、電池を電源として使用し、時刻表示部１０の２時側に設けられた２時側情報表示部３０で電池の残量を表示する。また、電子時計Ｗは、複数の動作モードを有する。電子時計Ｗは、動作モードとして、目的地へのナビゲーションを行うナビゲーションモードと、時刻を表示する時刻表示モードと、を有している。
【００１９】
電子時計Ｗでは、電池残量が少なくなったときに時計としての基本機能である時刻表示モードをナビゲーションモードよりも優先させるために、時刻表示モードを実行できる電池残量率の最低レベルが、ナビゲーションモードを実行できる電池残量率の最低レベルよりも低く設定されている。
なお、電池残量率は、電池残量が満量の状態であるときに１００％を示し、電池残量が空の状態であるときに０％を示す。
【００２０】
本実施形態では、図２に示したように、時刻表示モードを実行できる電池残量率の最低レベル（最低電池残量率レベル）ＬＴとして電池残量率１０％が用いられ、ナビゲーションモードを実行できる電池残量率の最低レベル（最低電池残量率レベル）ＬＮとして電池残量率５０％が用いられる。よって、時刻表示モードは、電池残量率１００％〜１０％までの間（図２に示した範囲Ｔｍ）で実行可能となる。ナビゲーションモードは、電池残量率１００％〜５０％までの間（図２に示した範囲Ｎｍ）で実行可能となる。なお、図２では、電池残量率が６０％であることも示されている。
【００２１】
図２に示した例では、電池残量率が１００％〜５０％の間は、ナビゲーションモードと時刻表示モードとのいずれもが実行可能となるが、電池残量率が５０％〜１０％の間は、ナビゲーションモードと時刻表示モードとのうち、時刻表示モードのみが実行可能となる。よって、時刻表示モードがナビゲーションモードよりも優先される。
【００２２】
しかしながら、ナビゲーションモードの最低電池残量率レベルＬＮ（＝５０％）と、時刻表示モードの最低電池残量率レベルＬＴ（＝１０％）が異なっているため、図２に示したように、単に電池残量率（＝６０％）が示された場合、各動作モードについての実質的な電池残量が直感的に分かりにくくなってしまう。
【００２３】
図２に示した例で説明すると、電池残量率が６０％でありナビゲーションモードの最低電池残量率レベルＬＮが５０％であるので、ナビゲーションモードについての実質的な電池残量率は２０％（＝（６０％−５０％）／（１００％−５０％））である。しかしながら、図２に示した電池残量率６０％から、ナビゲーションモードについての実質的な電池残量率２０％を直感的に認識することは困難である。
【００２４】
また、電池残量率が６０％であり時刻表示モードの最低電池残量率レベルＬＴが１０％であるので、時刻表示モードについての実質的な電池残量率は５６％（＝（６０％−１０％）／（１００％−１０％））である。しかしながら、図２に示した電池残量率６０％から、時刻表示モードについての実質的な電池残量率５６％を直感的に認識することは困難である。
【００２５】
そこで、電子時計Ｗは、電子時計Ｗの実行する動作モード（以下「実行動作モード」と称する）に応じて、２時側情報表示部３０で表示する電池の残量の表示を切り替える。
例えば、２時側情報表示部３０は、実行動作モードが時刻表示モードである場合には、電池残量率が１００％のときに満量（１００％）を示し、電池残量率が１０％（＝時刻表示モードの最低電池残量率レベル）のときに空（０％）を示すように、電池の残量を表示する。
一方、実行動作モードがナビゲーションモードである場合には、２時側情報表示部３０は、電池残量率が１００％のときに満量（１００％）を示し、電池残量率が５０％（＝ナビゲーションモードの最低電池残量率レベル）のときに空（０％）を示すように、電池の残量を表示する。
２時側情報表示部３０は、電池の残量を表示する表示部の一例である。本実施形態では、２時側情報表示部３０は、電池の残量として電池の残量率を表示する。
【００２６】
時刻表示モードの最低電池残量率レベルＬＴと、ナビゲーションモードの最低電池残量率レベルＬＮは、それぞれ、１０％と５０％に限らず、時刻表示モードの最低電池残量率レベルが、ナビゲーションモードの最低電池残量率レベルよりも低ければよい。
【００２７】
＜ナビゲーションモードについて＞
電子時計Ｗは、実行動作モードがナビゲーションモードである場合、例えば、出発地へ戻るためのナビゲーションを行うことができる。ナビゲーションのために、地点登録スイッチＡと、ナビゲーション開始スイッチＢが使用される。
【００２８】
＜地点登録動作の概要＞
ユーザーが出発地で地点登録スイッチＡを特定時間（例えば２秒）以上継続して押下すると、電子時計Ｗは、出発地の座標（位置座標）を取得し、その座標を保持する。出発地の座標は、目的地の座標として用いられる。なお、電子時計Ｗは、ＧＰＳで出発地（現在地）の座標を取得する。このため、位置の座標は緯度と経度で示される。また、特定時間は、２秒に限らず適宜変更可能である。
【００２９】
＜ナビゲーション動作の概要＞
地点登録が行われた後、ユーザーが電子時計Ｗと共に他の地点に移動し、電子時計Ｗの実行動作モードが時刻表示モードになっている状況で、ユーザーがナビゲーション開始スイッチＢを所定時間（例えば２秒）以上継続して押下すると、電子時計Ｗは、実行動作モードを時刻表示モードからナビゲーションモードに切り替える。所定時間は、２秒に限らず適宜変更可能である。
【００３０】
電子時計Ｗは、ナビゲーションモードでは、ＧＰＳで一回あるいは定期的に現在地の座標を取得し、後述する磁気センサーを用いて定期的に北の方向を取得する。
【００３１】
ナビゲーションモードでは、電子時計Ｗは、現在地の座標を取得するごとに、出発地の座標と最新の現在地の座標とを用いて、現在地から出発地までの距離（以下「出発地までの距離」と称する）と、現在地から見た出発地の方位（以下「出発地の方位」と称する）とを算出する。
【００３２】
電子時計Ｗは、出発地の方向と出発地までの距離とを算出すると、磁気センサーを使って取得した北の方向を基準として、指針１３で目的地の方向と真北の方向とを切り替えて指示し、距離表示針４３で目的地までの距離を表示することで、出発地へ戻るためのナビゲーションを行う。なお、指針１３の指示方向は、方位表示切り替えスイッチＤの押下操作に応じて切り替えられる。
【００３３】
なお、実行動作モードがナビゲーションモードである状況で、ナビゲーション開始スイッチＢが所定時間（例えば２秒）以上継続して押下されたり、ナビゲーションモードが一定時間（例えば２分）継続されたりした場合、実行動作モードは、ナビゲーションモードから時刻表示モードに切り替わる。
【００３４】
＜ＧＰＳの利用＞
次に、電子時計Ｗが電波（ＧＰＳ衛星からの電波）を用いて現在地の座標（位置情報）と時刻情報とを求める手法を説明する。
【００３５】
図３は、電子時計Ｗを含むＧＰＳの全体図である。
電子時計Ｗは、ＧＰＳ衛星８からの電波を受信して内部時計（後述するＲＴＣ１）の計時時刻を修正する腕時計である。電子時計Ｗは、腕と接触する側の面（以下「裏面」と称する）の反対側の面（以下「表面」と称する）に時刻等を表示する。ＧＰＳ衛星８は、地球の上空において、所定の軌道上を周回する航法衛星である。ＧＰＳ衛星８は、航法メッセージが重畳された１．５７５４２ＧＨｚの電波（Ｌ１波）を地上に送信している。以降の説明では、航法メッセージが重畳された１．５７５４２ＧＨｚの電波を衛星信号と称する。衛星信号は、右旋偏波の円偏波である。
【００３６】
現在、約３１個のＧＰＳ衛星８（図３においては、４個のみを図示）が存在している。衛星信号がどのＧＰＳ衛星８から送信されたかを識別するために、各ＧＰＳ衛星８はＣ／Ａコード（Coarse／Acquisition Code）と呼ばれる１０２３ｂｉｔ（１ｍｓ周期）の固有のパターンを衛星信号に重畳する。各ｂｉｔは、＋１、または−１のいずれかである。このため、Ｃ／Ａコードは、ランダムパターンのように見える。
【００３７】
ＧＰＳ衛星８は原子時計を搭載している。衛星信号には、原子時計で計時された極めて正確なＧＰＳ時刻情報が含まれている。地上のコントロールセグメントにより、各ＧＰＳ衛星８に搭載されている原子時計のわずかな時刻誤差が測定されている。衛星信号には、その時刻誤差を補正するための時刻補正パラメーターも含まれている。電子時計Ｗは、１つのＧＰＳ衛星８から送信された衛星信号（電波）を受信し、その中に含まれるＧＰＳ時刻情報と時刻補正パラメーターとを使用して得られた正確な時刻（時刻情報）に、内部時計（ＲＴＣ１）の計時時刻を合わせる。
【００３８】
衛星信号には、ＧＰＳ衛星８の軌道上の位置を示す軌道情報も含まれている。電子時計Ｗは、ＧＰＳ時刻情報と軌道情報とを使用して測位計算を行うことができる。
測位計算は、電子時計Ｗの内部時計の計時時刻にある程度の誤差が含まれていることを前提として行われる。すなわち、電子時計Ｗの三次元の位置を特定するためのｘ，ｙ，ｚパラメーターに加えて時刻誤差も未知数になる。そのため、電子時計Ｗは、一般的には４つ以上のＧＰＳ衛星８からそれぞれ送信された衛星信号を受信し、その中に含まれるＧＰＳ時刻情報と軌道情報を使用して測位計算を行い、現在地の位置情報（現在地の座標）を求める。
【００３９】
説明を図１に戻す。
電子時計Ｗは、時刻表示部１０と、地点登録スイッチＡと、ナビゲーション開始スイッチＢと、竜頭スイッチＣと、方位表示切り替えスイッチＤと、を有している。
【００４０】
時刻表示部１０は、時針１１と、分針１２と、指針１３と、ダイヤルリング１４と、６時側に設けられた６時側情報表示部２０と、２時側に設けられた２時側情報表示部３０と、１０時側に設けられた１０時側情報表示部４０と、日にち表示部５０と、を有している。
【００４１】
ダイヤルリング１４には、１２時制の目盛り１４ａが環状に形成されている。
【００４２】
時刻表示部１０は、動作モードに関わらず、目盛り１４ａを基準にして時針１１と分針１２とで時刻を表示する。時針１１と分針１２との指示位置は、例えば、竜頭スイッチＣの操作に応じて変更される。
【００４３】
また、時刻表示部１０は、時刻表示モードでは、指針１３で時刻の秒を表示する。また、時刻表示部１０は、ナビゲーションモードでは、指針１３で目的地の方向と真北の方向とを切り替えて指示する。
【００４４】
６時側情報表示部２０は、文字板２１と、モード指針２２と、を有している。
文字板２１には、動作モードを表す文字が記載されている。具体的には、文字板２１には、時刻表示モードを表す「ＴＩＭＥ」の文字２１ｂと、「ＣＯＭＰ」の文字２１ｃと、「ＦＡＲ」の文字２１ｄと、「ＮＥＡＲ」の文字２１ｅが記載されている。
【００４５】
６時側情報表示部２０は、モード指針２２が「ＴＩＭＥ」の文字２１ｂを指示することで実行動作モードが時刻表示モードであることを表示する。６時側情報表示部２０は、モード指針２２が、「ＣＯＭＰ」の文字２１ｃ、「ＦＡＲ」の文字２１ｄ、および「ＮＥＡＲ」の文字２１ｅのいずれかを指示することで、実行動作モードがナビゲーションモードであることを表示する。
さらに説明すると、６時側情報表示部２０は、指針１３が真北の方向を示す場合、モード指針２２で、文字板２１上の「ＣＯＭＰ」の文字２１ｃを指し示す。６時側情報表示部２０は、指針１３が目的地の方向を示す場合、モード指針２２で、「ＦＡＲ」の文字２１ｄまたは「ＮＥＡＲ」の文字２１ｅを指し示す。
【００４６】
指針１３が目的地の方向を示している状態で、目的地までの距離が１ｋｍ以上の場合は、モード指針２２は、文字板２１上の「ＦＡＲ」の文字２１ｄを指し示す。モード指針２２が「ＦＡＲ」の文字２１ｄを指し示す場合、１０時側情報表示部４０の文字板４１に記載された数値の目盛り４１ｂは１ｋｍ単位として使用され、目的地までの距離の距離レンジが１０ｋｍになる。図１に示した例では、モード指針２２が「ＦＡＲ」の文字２１ｄを指し示しているため、距離表示針４３は９ｋｍを表示していることになる。
【００４７】
一方、指針１３が目的地の方向を示している状態で、目的地までの距離が１ｋｍ未満の場合、モード指針２２は、文字板２１上の「ＮＥＡＲ」の文字２１ｅを指し示す。モード指針２２が「ＮＥＡＲ」の文字２１ｅを指し示す場合、１０時側情報表示部４０の数値の目盛り４１ｂは１００ｍ単位として使用され、目的地の距離までの距離レンジが１０００ｍになる。例えば、図１に示した例において、モード指針２２が「ＮＥＡＲ」の文字２１ｅを指し示すと、距離表示針４３は９００ｍを表示していることになる。
【００４８】
２時側情報表示部３０は、文字板３１と、残量指針３２と、を有している。
文字板３１には、電子時計Ｗの電源として使用されている電池の残量を示す残量メーター３１ａが設けられている。残量メーター３１ａにおいて、電池残量率１００％に対応する位置には「Ｆ」の文字３１ａ１が設けられ、電池残量率０％（ゼロ）に対応する位置には「Ｅ」の文字３１ａ２が設けられている。
【００４９】
２時側情報表示部３０は、残量指針３２で残量メーター３１ａを指示することで電池の残量を表示する。２時側情報表示部３０は、実行動作モードに応じて、電池の残量の表示を切り替える。
上述したように、２時側情報表示部３０は、実行動作モードが時刻表示モードである場合には、電池残量率が１００％のときに、残量指針３２が満量（１００％）を意味する「Ｆ」の文字３１ａ１を指し示し、電池残量率が１０％（＝時刻表示モードの最低電池残量率レベル）のときに、残量指針３２がゼロ（０％）を意味する「Ｅ」の文字３１ａ２を指し示すように、電池の残量を表示する。
一方、実行動作モードがナビゲーションモードである場合には、２時側情報表示部３０は、電池残量率が１００％のときに、残量指針３２が満量（１００％）を意味する「Ｆ」の文字３１ａ１を指し示し、電池残量率が５０％（＝ナビゲーションモードの最低電池残量率レベル）のときに、残量指針３２がゼロ（０％）を意味する「Ｅ」の文字３１ａ２を指し示すように、電池の残量を表示する。
【００５０】
１０時側情報表示部４０は、文字板４１と、距離表示針４３と、を有している。
文字板４１には、０〜９までの目盛り４１ｂが環状に形成されている。
１０時側情報表示部４０は、実行動作モードがナビゲーションモードである場合、目盛り４１ｂを基準にして、距離表示針４３で目的地までの距離を表示する。
【００５１】
日にち表示部５０は、カレンダーの日にちを表示する日車５１を有している。
【００５２】
図４は、電子時計Ｗの構成図である。図４において、図１に示したものと同一構成のものには同一符号を付してある。
【００５３】
電子時計Ｗは、太陽電池６０と、充放電制御部６１と、２次電池６２と、電源部６３と、を有している。２次電池６２は、電子時計Ｗの電源として使用される。充放電制御部６１は、太陽電池６０が生成した電力で２次電池６２を充電し、２次電池６２の電力を電源部６３に供給する。電源部６３は、２次電池６２から供給された電力を用いて内部電源電圧Ｖｄｄを生成する。内部電源電圧Ｖｄｄは、後述する、ＲＴＣ１、ＧＰＳレシーバー２、電池残量検出部４、記憶部５、制御部６、およびモータードライバー４０１〜４０６に供給される。
【００５４】
電子時計Ｗは、時刻表示部１０に関する構成として、時針１１と、分針１２と、指針１３と、輪列機構２０１および２０２と、ステッピングモーター３０１および３０２と、モータードライバー４０１および４０２と、を含む。モータードライバー４０１は、輪列機構２０１を介して時針１１と分針１２とを駆動するためにステッピングモーター３０１を駆動する。モータードライバー４０２は、輪列機構２０２を介して指針１３を駆動するためにステッピングモーター３０２を駆動する。
【００５５】
電子時計Ｗは、６時側情報表示部２０に関する構成として、モード指針２２と、輪列機構２０３と、ステッピングモーター３０３と、モータードライバー４０３と、を含む。モータードライバー４０３は、輪列機構２０３を介してモード指針２２を駆動するためにステッピングモーター３０３を駆動する。
【００５６】
電子時計Ｗは、２時側情報表示部３０に関する構成として、残量指針３２と、輪列機構２０４と、ステッピングモーター３０４と、モータードライバー４０４と、を含む。モータードライバー４０４は、輪列機構２０４を介して残量指針３２を駆動するためにステッピングモーター３０４を駆動する。
【００５７】
電子時計Ｗは、１０時側情報表示部４０に関する構成として、距離表示針４３と、輪列機構２０５と、ステッピングモーター３０５と、モータードライバー４０５と、を含む。モータードライバー４０５は、輪列機構２０５を介して距離表示針４３を駆動するためにステッピングモーター３０５を駆動する。
【００５８】
電子時計Ｗは、日にち表示部５０に関する構成として、日車５１と、輪列機構２０６と、ステッピングモーター３０６と、モータードライバー４０６と、を含む。モータードライバー４０６は、輪列機構２０６を介して日車５１を駆動するためにステッピングモーター３０６を駆動する。
【００５９】
電子時計Ｗは、さらに、ＲＴＣ（リアルタイムクロック）１と、ＧＰＳレシーバー２と、磁気センサー３と、電池残量検出部４と、記憶部５と、制御部６と、を含む。
【００６０】
ＲＴＣ１は、水晶振動子（不図示）から出力された基準信号を用いて時刻を計時する。
ＧＰＳレシーバー２は、ＧＰＳ衛星８から送信された衛星信号（電波）を受信する。
磁気センサー３は、地磁気、つまり、磁北を検出する。
電池残量検出部４は、電源である２次電池６２の残量率Ｒを検出する。例えば、電池残量検出部４は、２次電池６２の電圧を検出し、その電圧から２次電池６２の残量率Ｒを検出する。本実施形態では、電池残量検出部４は、電子時計Ｗが動作している間、定期的に２次電池６２の残量率Ｒを検出する。
【００６１】
記憶部５は、例えば、一時的でない記録媒体（non-transitory storage medium）であり、コンピュータープログラムを記録している。また、記憶部５は、動作モードと最低電池残量率レベルとの関係を示した関係テーブルを記録している。
【００６２】
図５は、関係テーブル５ａの一例を示した図である。
図５に示した関係テーブル５ａでは、動作モードとして、時刻表示モードとナビゲーションモードとが設定され、時刻表示モードの最低電池残量率レベルＬＴとして１０％が設定され、ナビゲーションモードの最低電池残量率レベルＬＮとして５０％が設定されている。このため、時刻表示モードの最低電池残量率レベルＬＴは、複数の動作モードのうち時刻表示モード以外の動作モード（ナビゲーションモード）の電池残量率の最低レベルよりも低くなっている。
【００６３】
説明を図４に戻す。制御部６は、例えば、ＣＰＵであり、記憶部５に記憶されたコンピュータープログラムを読み取り実行することで種々の機能を実現する。
【００６４】
例えば、制御部６は、ＧＰＳレシーバー２が受信した衛星信号を用いて、現在地の座標（位置座標）を特定する。また、制御部６は、指針１３と距離表示針４３とを用いて、出発地（目的地）へのナビゲーションを実行する。
【００６５】
また、制御部６は、ナビゲーション開始スイッチＢの所定時間（例えば２秒）以上継続した押下に応じて、時刻表示モードとナビゲーションモードとの中から、電子時計Ｗの実行動作モードを決定する。この決定に応じて、電子時計Ｗの実行動作モードが切り替わる。
【００６６】
例えば、制御部６は、実行動作モードが時刻表示モードである状況で、ナビゲーション開始スイッチＢの所定時間（例えば２秒）以上継続した押下を検出すると、実行動作モードを時刻表示モードからナビゲーションモードに切り替える。また、制御部６は、実行動作モードがナビゲーションモードである状況で、ナビゲーション開始スイッチＢの所定時間（例えば２秒）以上継続した押下を検出すると、実行動作モードをナビゲーションモードから時刻表示モードに切り替える。
【００６７】
ナビゲーション開始スイッチＢは、ユーザーの操作を受ける操作部の一例である。ナビゲーション開始スイッチＢの所定時間（例えば２秒）以上継続した押下操作は、操作部が受けたユーザーの操作の一例である。なお、ユーザーの操作を受ける操作部は、ナビゲーション開始スイッチＢに限らず適宜変更可能である。例えば、電子時計Ｗが、実行動作モードを切り替えるモード切り替えスイッチを有する場合、このモード切り替えスイッチが、ユーザーの操作を受ける操作部の一例となる。
【００６８】
制御部６は、さらに、ナビゲーションモードが一定時間（例えば２分）継続された場合、実行動作モードを、ナビゲーションモードから時刻表示モードに切り替える。
【００６９】
制御部６は、さらに、実行動作モードに応じて、２時側情報表示部３０での電池の残量の表示を切り替える。この際、制御部６は、２次電池６２の電池残量率Ｒと実行動作モードとに応じて、２時側情報表示部３０における電池の残量の表示を切り替える。
【００７０】
＜動作の説明＞
次に、電池残量表示を中心に電子時計Ｗの動作を説明する。
【００７１】
＜地点登録動作＞
図６は、地点登録動作を説明するためのフローチャートである。
例えば、制御部６は、出発地で地点登録スイッチＡが特定時間（例えば２秒）以上継続して押下されたこと（地点登録スイッチＡの長押し）を検出すると（ステップＳ６０１）、ＧＰＳレシーバー２を起動し、ＧＰＳ衛星８から送信された衛星信号を、ＧＰＳレシーバー２を介して受け付ける。続いて、制御部６は、衛星信号を用いて現在地の座標を算出する（ステップＳ６０２）。続いて、制御部６は、現在地の座標を記憶部５に記憶（登録）する（ステップＳ６０３）。記憶部５に記憶された座標は、目的地の位置を示す目的地情報として用いられる。
【００７２】
＜ナビゲーション動作＞
図７は、ナビゲーション動作を説明するためのフローチャートである。
制御部６は、実行動作モードが時刻表示モードである状況でナビゲーション開始スイッチＢが所定時間（例えば２秒）以上継続して押下されたこと（時刻表示モード下でのナビゲーション開始スイッチＢの長押し）を検出すると（ステップＳ７０１）、実行動作モードを時刻表示モードからナビゲーションモードに切り替える（ステップＳ７０２）。
【００７３】
続いて、制御部６は、ＧＰＳレシーバー２を起動し、ＧＰＳ衛星８から送信された衛星信号を、ＧＰＳレシーバー２を介して受け付ける。続いて、制御部６は、衛星信号を用いて現在地の座標を算出する（ステップＳ７０３）。
【００７４】
続いて、制御部６は、記憶部５に記憶されている座標を目的地情報として用い、目的地情報（目的地の座標）と最新の現在地の座標とを用いて、現在地から見た出発地の方位と、現在地と出発地との間の距離（出発地までの距離）と、を決定する（ステップＳ７０４）。
【００７５】
続いて、制御部６は、出発地までの距離が１ｋｍ以上か否かを判断する（ステップＳ７０５）。
出発地までの距離が１ｋｍ以上である場合（ステップＳ７０５でＹＥＳ）、制御部６は、６時側情報表示部２０においてモード指針２２が文字板２１上の「ＦＡＲ」の文字２１ｄを指し示すように、モータードライバー４０３を制御する（ステップＳ７０６）。
一方、出発地までの距離が１ｋｍ未満である場合（ステップＳ７０５でＮＯ）、制御部６は、６時側情報表示部２０においてモード指針２２が文字板２１上の「ＮＥＡＲ」の文字２１ｅを指し示すように、モータードライバー４０３を制御する（ステップＳ７０７）。
【００７６】
続いて、制御部６は、磁気センサー３を起動し、磁気センサー３の出力に基づいて磁北の方向を決定する。続いて、制御部６は、磁北の方向を、予め記憶部５に記憶されている偏角の情報で補正して真北の方向を決定する（ステップＳ７０８）。なお、記憶部５が、偏角と位置座標との関係を表す偏角テーブルを記憶している場合、制御部６は、現在地の座標に対応する偏角を偏角テーブルから読み出し、その読み出した偏角を用いて磁北の方向を補正して、真北の方向を決定してもよい。
【００７７】
続いて、制御部６は、指針１３が目的地の方向を指し示すように、モータードライバー４０２を制御する（ステップＳ７０９）。ここで、制御部６は、目的地の方向を、出発地の方位と真北の方向とに基づいて決定する。
【００７８】
続いて、制御部６は、１０時側情報表示部４０において距離表示針４３が目的地までの距離を表示するようにモータードライバー４０５を制御する（ステップＳ７１０）。
【００７９】
ステップＳ７１０では、モード指針２２が文字板２１上の「ＦＡＲ」の文字２１ｄを指し示している場合、つまり、目的地までの距離が１ｋｍ以上である場合、制御部６は、１０時側情報表示部４０の数値の目盛り４１ｂを１ｋｍ単位として使用する。このため、目的地までの距離の距離レンジが１０ｋｍになる。
一方、モード指針２２が文字板２１上の「ＮＥＡＲ」の文字２１ｅを指し示している場合、つまり、目的地までの距離が１ｋｍ未満である場合、制御部６は、１０時側情報表示部４０の数値の目盛り４１ｂを１００ｍ単位として使用する。このため、目的地の距離までの距離レンジが１０００ｍになる。
【００８０】
続いて、制御部６は、電池残量検出部４から２次電池６２の残量率Ｒを取得し、記憶部５の関係テーブル５ａ（図５参照）からナビゲーションモードの最低電池残量率レベルＬＮ（＝５０％）を読み出す。続いて、制御部６は、ナビゲーションモードにおける電池残量率ＲＮを以下の（１）式を用いて算出する（ステップＳ７１１）。
ＲＮ＝（Ｒ−ＬＮ）／（１００％−ＬＮ）  ・・・（１）式
例えば、２次電池６２の残量率Ｒが６０％であった場合、ナビゲーションモードにおける電池残量率ＲＮは、（１）式から
ＲＮ＝（６０％−５０％）／（１００％−５０％）＝２０％
となる。
【００８１】
続いて、制御部６は、２時側情報表示部３０の残量指針３２が電池残量率ＲＮを指し示すように、モータードライバー４０４を制御する（ステップＳ７１２）。
【００８２】
制御部６は、指針１３が目的地の方向を指示しているときに方位表示切り替えスイッチＤの押下操作を受けると、指針１３の指示する方向が真北の方向に切り替わるように、モータードライバー４０２を制御する。また、制御部６は、指針１３が真北の方向を指示しているときに方位表示切り替えスイッチＤの押下操作を受けると、指針１３の指示する方向が目的地の方向に切り替わるように、モータードライバー４０２を制御する。このため、指針１３は、方位表示切り替えスイッチＤの押下操作に応じて、目的地の方向と真北の方向とを交互に指示する。
【００８３】
なお、指針１３が真北の方向を示す場合、制御部６は、６時側情報表示部２０において、モード指針２２が文字板２１上の「ＣＯＭＰ」の文字２１ｃを指し示すように、モータードライバー４０３を制御する。
一方、指針１３が目的地の方向を示す場合に、制御部６は、目的地までの距離が１ｋｍ以上である際には、６時側情報表示部２０において、モード指針２２が文字板２１上の「ＦＡＲ」の文字２１ｄを指し示すように、モータードライバー４０３を制御する。また、指針１３が目的地の方向を示す場合に、制御部６は、目的地までの距離が１ｋｍ未満である際には、６時側情報表示部２０において、モード指針２２が文字板２１上の「ＮＥＡＲ」の文字２１ｅを指し示すように、モータードライバー４０３を制御する。
このため、指針１３が目的地の方向を示しているか真北の方向を示しているかは、６時側情報表示部２０のモード指針２２の指し示す文字にて判断可能となる。これにより、１本の指針１３で２つの方位情報（目的地の方向と真北の方向）を表示可能になる。
【００８４】
以下、ナビゲーションモードが継続している間、制御部６は、衛星信号を用いた現在地の座標の算出と、磁気センサー３の出力を用いた真北の方向の決定動作と、目的地情報と現在地の座標とを用いた現在地と出発地との間の距離の決定動作と、目的地情報と現在地の座標と真北の方向とを用いた目的地の方向の決定動作と、を定期的に行い、これらの結果を用いて、目的地の方向と真北の方向と目的地までの距離との表示を定期的に更新していく。
【００８５】
また、制御部６は、２次電池６２の残量率Ｒがナビゲーションモードの最低電池残量率レベルＬＮ（＝５０％）になると、実行動作モードをナビゲーションモードから時刻表示モードに切り替えて、ナビゲーションモードを終了する。
【００８６】
なお、省電力化のため、制御部６は、ナビゲーションモードが実行動作モードとなっている継続時間が所定の閾値時間（例えば２分）を超えた場合、磁気センサー３を用いた真北の決定動作と、指針１３による方向指示動作と、距離表示針４３による距離表示動作とを停止し、時針１１と分針１２と指針１３で時刻を表示する。例えば、制御部６は、ナビゲーションモードが実行動作モードとなっている継続時間が所定の閾値時間を超えた場合、実行動作モードを、ナビゲーションモードから時刻表示モードに強制的に変更してもよい。所定の閾値時間は、２分に限らず適宜変更可能である。
【００８７】
また、省電力化の別の方法として、衛星信号を用いた現在地の座標の算出は、ナビゲーション開始スイッチＢの１回の操作に対して１回のみとし、磁気センサー３の出力を用いた真北の方向の決定動作のみを定期的に行ってもよい。この場合は、目的地までの距離は更新されず、目的地の方向と真北の方向とが定期的に更新される。ユーザーが同じ位置に留まって向きだけが変わる場合、この動作で十分である。
【００８８】
＜時刻表示動作＞
図８は、時刻表示モードでの動作を説明するためのフローチャートである。
制御部６は、実行動作モードがナビゲーションモードである状況でナビゲーション開始スイッチＢが所定時間（例えば２秒）以上継続して押下されたこと（ナビゲーションモード下でのナビゲーション開始スイッチＢの長押し）を検出すると（ステップＳ８０１）、実行動作モードを時刻表示モードに切り替える（ステップＳ８０２）。なお、制御部６は、ナビゲーションモードが一定時間（例えば２分）継続された場合にも、実行動作モードを、ナビゲーションモードから時刻表示モードに切り替える。
【００８９】
続いて、制御部６は、モード指針２２が文字板２１上の「ＴＩＭＥ」の文字２１ｂを指し示すようにモータードライバー４０３を制御して、時刻表示モードを表示する（ステップＳ８０３）。
【００９０】
続いて、制御部６は、指針１３が時刻の秒を指し示すようにモータードライバー４０２を制御する（ステップＳ８０４）。このため、時針１１と分針１２と指針１３とで時刻が表示される。
【００９１】
続いて、制御部６は、距離表示針４３の指示位置が目盛り４１ｂのゼロの位置になるようにモータードライバー４０５を制御する（ステップＳ８０５）。
【００９２】
続いて、制御部６は、電池残量検出部４から２次電池６２の残量率Ｒを取得し、記憶部５の関係テーブル５ａ（図５参照）から時刻表示モードの最低電池残量率レベルＬＴ（＝１０％）を読み出す。続いて、制御部６は、時刻表示モードにおける電池残量率ＲＴを以下の（２）式を用いて算出する（ステップＳ８０６）。
ＲＴ＝（Ｒ−ＬＴ）／（１００％−ＬＴ）  ・・・（２）式
例えば、２次電池６２の残量率Ｒが６０％であった場合、時刻表示モードにおける電池残量率ＲＴは、（１）式から
ＲＴ＝（６０％−１０％）／（１００％−１０％）＝５６％
となる。
なお、実行動作モードが時刻表示モードである場合、制御部６は、時刻表示モードにおける電池残量率ＲＴとして、２次電池６２の残量率Ｒそのものを用いてもよい。
【００９３】
続いて、制御部６は、２時側情報表示部３０の残量指針３２が電池残量率ＲＴを指し示すように、モータードライバー４０４を制御する（ステップＳ８０７）。
【００９４】
図９は、２次電池６２の残量率Ｒが６０％である状況でのナビゲーションモードにおける電池残量率ＲＮ（＝２０％）を示した図である。
図１０は、２次電池６２の残量率Ｒが６０％である状況での時刻表示モードにおける電池残量率ＲＴ（＝５６％）を示した図である。
図９および図１０に示したように、２次電池６２の残量率Ｒが６０％であっても、ナビゲーションモードにおける電池残量率ＲＮと、時刻表示モードにおける電池残量率ＲＴとは、各動作モードの最低電池残量率レベルに応じて異なるものとなる。そして、図９および図１０に示したように、２時側情報表示部３０は、実行動作モードに応じて電池残量率を切り替え、実行動作モードに応じた電池残量率を行うので、実行動作モードに応じた電池残量は直感的に分かりやすく表示される。
【００９５】
制御部６は、２次電池６２の残量率Ｒが時刻表示モードの最低電池残量率レベルＬＴ（＝１０％）になると、消費電力を下げるために、時刻表示部１０での時針１１と分針１２と指針１３による時刻表示を停止する。この際、制御部６は、ＲＴＣ１での時刻計時を継続する。
【００９６】
本実施形態によれば、実行動作モードに応じて電池残量の表示が切り替えられるので、各動作モードについての実質的な電池残量を直感的に分かりやすく表示することが可能になる。
【００９７】
また、２時側情報表示部３０での電池残量ゼロの表示が、動作モードにおける実質的な電池残量ゼロ（最低電池残量率レベル）に対応するので、各動作モードについての実質的な電池残量を直感的に分かりやすく表示可能になる。
【００９８】
また、時刻表示モードの最低電池残量率レベルが、ナビゲーションモードの最低電池残量率レベルよりも低いので、電池残量が少なくなっても、複数の動作モードの中で時刻表示モードを優先的に実行できる。このため、時計としての基本機能である時刻表示モードを、他の動作モード（ナビゲーションモード）に対して優先させることが可能になる。
【００９９】
＜第１実施形態の変形例＞
本発明は、上述した実施形態に限定されるものではなく、例えば、次に述べるような各種の変形が可能である。また、次に述べる変形の態様の中から任意に選択された一または複数の変形を適宜組み合わせることもできる。
【０１００】
＜変形例１＞
上述した本実施形態では、出発地で地点登録スイッチＡが特定時間以上継続して押下されて、出発地が目的地として登録された後、出発地に戻るためのナビゲーションが実行される。
【０１０１】
しかしながら、出発地に戻るためのナビゲーションを行う場合、制御部６は、ユーザーの移動経路上の複数の地点（ウエイポイント）の各々を記憶部５に登録し、登録した複数の地点のうちの１つを目的地として用い、目的地として用いる地点をユーザー操作に応じて切り替えながら、最終的に出発地へのナビゲーションを実行してもよい。
【０１０２】
例えば、記憶部５に過去に登録された目的地の座標がすべてクリアされた状態で、ユーザーが、移動経路上の複数の地点の各々で、地点登録スイッチＡを特定時間以上継続して押下して、各地点の座標（各目的地の座標）を電子時計Ｗに順番に登録する。この際、制御部６は、各地点の座標に、該地点が登録された順序に対応する番号を付し、番号が付された地点の座標を記憶部５に記憶する。
【０１０３】
一例を挙げると、制御部６は、ｎ（ｎは１以上の整数）番目に登録された地点の座標に対して番号「ｎ」を付し、番号「ｎ」が付された地点の座標を記憶部５に記憶する。
【０１０４】
図１１は、記憶部５が番号の付された地点の座標を管理するための目的地管理テーブル５ｂの一例を示した図である。この場合、ナビゲーションが開始される前に登録された各地点の座標（各目的地の座標）には、予め番号が付されていることになる。
【０１０５】
なお、制御部６は、例えば、地点登録スイッチＡとナビゲーション開始スイッチＢとが共に押下された場合に、目的地管理テーブル５ｂに登録されている番号付き地点座標（記憶部５に過去に記憶された目的地の座標）をすべてクリアする。
【０１０６】
制御部６は、登録した複数の地点のうちの１つを目的地として用い、その目的地へのナビゲーションを行い、さらに、その目的地として用いられた地点の座標に付された番号（ｎ）を日車５１が表示するように、モータードライバー４０６を制御する。
【０１０７】
例えば、ユーザーが１つの経路上のｎ個の地点の座標を順番に電子時計Ｗ（記憶部５）に登録した場合、制御部６は、まず、最後に登録され番号「ｎ」が付された地点の座標を目的地（目的地情報）として用いて、番号「ｎ」が付された地点へのナビゲーションを実行しつつ、日車５１で「ｎ」を表示する。なお、目的地情報として用いられた位置情報に付された番号は、日車５１ではなく、指針（例えば、残量指針３２）で表示されてもよい。
【０１０８】
その後、ユーザーは、電子時計Ｗのナビゲーションに従って番号「ｎ」の付された地点に戻ってきたと判断したら、ナビゲーション開始スイッチＢと竜頭スイッチＣとを操作（例えば、竜頭スイッチＣを引き出した状態でナビゲーション開始スイッチＢを押下）して、目的地を、番号「ｎ」が付された地点の座標から番号「ｎ−１」が付された地点の座標に切り替える。この切り替えに応じて、電子時計Ｗは、番号「ｎ−１」が付された地点へのナビゲーションを開始する。以下、同様に、日車５１に表示される番号が１ずつ小さくなるように目的地を切り替えることで、出発地に戻るためのナビゲーションが実行される。
【０１０９】
＜変形例２＞
上述した本実施形態では、制御部６は、地点登録スイッチＡの操作に応じて出発地の座標（目的地情報）を記憶部５に登録したが、目的地情報は、予め記憶部５に登録されていてもよい。例えば、目的地の座標として、メッカの位置の座標が予め記憶部５に登録されていてもよい。この場合、目的地の方向としてキブラ（ムスリムの拝礼の方向）を表示することができる。
【０１１０】
＜変形例３＞
また、図１２に示したように、電子時計Ｗに無線通信部７が設けられ、例えばスマートフォン等の通信機器から無線通信部７を介して目的地の座標が登録されてもよい。
【０１１１】
＜変形例４＞
制御部６は、実行動作モードがナビゲーションモードになった場合、電池の残量に応じてナビゲーションモードの実行可能回数を推定し、推定したナビゲーションモードの実行可能回数を、電池の残量の表示として日にち表示部５０で表示してもよい。この場合、２時側情報表示部３０と日にち表示部５０とによって、電池の残量を表示する表示部が構成される。
【０１１２】
例えば、制御部６は、以下のようにナビゲーションモードの実行可能回数を推定する。
記憶部５に、１回のナビゲーションモードで消費されると予想される消費電力量（以下「基準消費電力量」と称する）を示す消費電力量情報と、２次電池６２の電池容量の最大値（以下「最大容量」と称する）を示す最大容量情報とが記憶される。
ナビゲーションモードが実行動作モードになると、制御部６は、電池残量検出部４が検出した電池残量率Ｒと、消費電力量情報と、ナビゲーションモードの最低電池残量率レベルＬＮと、最大容量情報と、に基づいて、以下に示す（４）式を用いて、ナビゲーションモードの実行可能回数Ｎｎを推定する。
Ｎｎ＝（最大容量×（Ｒ−ＬＮ））／基準消費電力量  ・・・（４）式
ここで、最大容量×（Ｒ−ＬＮ）にて算出される値は、ナビゲーションモード下で使用できる電力量を示す。
【０１１３】
なお、制御部６は、ナビゲーションモードが実行動作モードになるたびに、１回のナビゲーションモードで消費された消費電力量を不図示の計測器で計測し、その計測結果を記憶部５に記憶し、記憶部５に計測結果が記憶されている状況でナビゲーションモードが実行動作モードになった場合、計測結果の平均値を基準消費電力量として用いてもよい。
【０１１４】
＜第２実施形態＞
図１３は、本発明の第２実施形態に係る電子時計Ｗ１を示す平面図である。さらに言えば、図１３は、時刻表示モード下の電子時計Ｗ１を示す平面図である。図１４は、電子時計Ｗ１の構成図である。図１３および図１４において、図１または図４に示したものと同一構成のものには同一符号を付してある。
【０１１５】
第２実施形態の電子時計Ｗ１と第１実施形態の電子時計Ｗとの主な相違点は、以下の通りである。
まず、電子時計Ｗ１は、時刻表示部１０と、６時側情報表示部２０と、２時側情報表示部３０と、１０時側情報表示部４０と、日にち表示部５０と、輪列機構２０１〜２０６と、ステッピングモーター３０１〜３０６と、モータードライバー４０１〜４０６の代わりに、ＬＣＤ（液晶表示装置）７０と、ＬＣＤドライバー７１と、を有している。
また、電子時計Ｗ１は、動作モードとして、時刻表示モードとナビゲーションモードに加えて、コンパスモードを有している。
また、電子時計Ｗ１は、モード切り替えスイッチＥを有しており、竜頭スイッチＣと方位表示切り替えスイッチＤとを有していない。
そして、電子時計Ｗ１は、上述した変形例１の構成（番号の付された地点の座標を管理し、その地点を目的地とするナビゲーションを実行し、目的地となった地点の番号を表示する点等）を含んでいる。なお、目的地を、番号「ｎ」が付された地点の座標から番号「ｎ−１」が付された地点の座標に切り替えるための操作としては、地点登録スイッチＡとモード切り替えスイッチＥとが共に押下される操作が用いられる。
【０１１６】
ＬＣＤ７０は、ディジタルディスプレイの一例である。ＬＣＤドライバー７１は、ＬＣＤ７０を駆動する。ＬＣＤ７０とＬＣＤドライバー７１は、内部電源電圧Ｖｄｄを電源電圧として使用する。
【０１１７】
コンパスモードは、ＬＣＤ７０が真北の方向を示すモードである。
モード切り替えスイッチＥは、電子時計Ｗ１の実行動作モードを切り替えるために使用される。制御部６は、モード切り替えスイッチＥに対する押下操作を検知するごとに、電子時計Ｗ１の実行動作モードを「時刻表示モード」から「コンパスモード」へ、「コンパスモード」から「ナビゲーションモード」へ、「ナビゲーションモード」から「時刻表示モード」へと切り替える。電子時計Ｗ１は、初期状態では、時刻表示モードが実行動作モードとして設定される。
【０１１８】
図１５は、電子時計Ｗ１の記憶部５が記録している関係テーブル５ｃの一例を示した図である。
図１５に示した関係テーブル５ｃでは、動作モードとして、時刻表示モードとコンパスモードとナビゲーションモードとが設定され、時刻表示モードの最低電池残量率レベルＬＴとして１０％が設定され、コンパスモードの最低電池残量率レベルＬＣとして２０％が設定され、ナビゲーションモードの最低電池残量率レベルＬＮとして５０％が設定されている。このため、時刻表示モードの最低電池残量率レベルＬＴは、複数の動作モードのうち時刻表示モード以外の動作モード（コンパスモードおよびナビゲーションモード）の電池残量率の最低レベルよりも低くなっている。
時刻表示モードの最低電池残量率レベルＬＴは、１０％に限らず適宜変更可能である。コンパスモードの最低電池残量率レベルＬＣは、２０％に限らず、時刻表示モードの最低電池残量率レベルＬＴよりも高ければよい。ナビゲーションモードの最低電池残量率レベルＬＮは、５０％に限らず、時刻表示モードの最低電池残量率レベルＬＴよりも高ければよい。
【０１１９】
図１６は、時刻表示モードの最低電池残量率レベルＬＴ（＝１０％）と、コンパスモードの最低電池残量率レベルＬＣ（＝２０％）と、ナビゲーションモードの最低電池残量率レベルＬＮ（＝５０％）との関係を示した図である。
図１６に示した例では、時刻表示モードは、電池残量率１００％〜１０％までの間（図１６に示した範囲Ｔｍ）で実行可能となる。コンパスモードは、電池残量率１００％〜２０％までの間（図１６で示した範囲Ｃｍ）で実行可能となる。ナビゲーションモードは、電池残量率１００％〜５０％までの間（図１６で示した範囲Ｎｍ）で実行可能となる。なお、図１６では、電池残量率が６０％であることも示されている。
【０１２０】
＜時刻表示モード＞
実行動作モードが時刻表示モードである場合、制御部６は、磁気センサー３とＧＰＳレシーバー２との動作を停止し、磁気センサー３またはＧＰＳレシーバー２が動作している場合よりも低い消費電力で動作する。
【０１２１】
さらに、実行動作モードが時刻表示モードである場合、制御部６は、例えば図１３に示したように、ＬＣＤ７０がカレンダー７０ａと時刻７０ｂと電池残量（電池残量率）７０ｃとを表示するように、ＬＣＤドライバー７１を制御する。
この際、制御部６は、電池残量７０ｃとして、電池残量検出部４が検出した２次電池６２の残量率Ｒそのものを表示する。例えば、２次電池６２の残量率Ｒが６０％であった場合、電池残量７０ｃとして６０％が表示される。
【０１２２】
なお、実行動作モードが時刻表示モードである状況でのＬＣＤ７０における表示は、図１３に示した表示に限らず適宜変更可能である。例えば、ＬＣＤ７０は、時刻７０ｂと電池残量（電池残量率）７０ｃのみを表示してもよい。
【０１２３】
＜コンパスモード＞
実行動作モードがコンパスモードである場合、制御部６は、磁気センサー３を起動し、磁気センサー３で地磁気の向きを計測することで北の方向を特定し、例えば図１７に示したように、ＬＣＤ７０が、北の方向７０ｄと、電子時計Ｗ１が向いている方位（図１７では西南西２４０°）７０ｅと、コンパスモード表示７０ｆと、時刻７０ｂと、電池残量（電池残量率）７０ｃとを表示するように、ＬＣＤドライバー７１を制御する。
この際、制御部６は、２次電池６２の残量率Ｒがコンパスモードの最低電池残量率レベル以上である場合に、電池残量（電池残量率）７０ｃを表示する。因みに、制御部６は、２次電池６２の残量率Ｒがコンパスモードの最低電池残量率レベル以上である場合に、電子時計Ｗ１の実行動作モードをコンパスモードに移行できる。
制御部６は、例えば、コンパスモードにおける電池残量率ＲＣを以下の（３）式を用いて算出する。
ＲＣ＝（Ｒ−ＬＣ）／（１００％−ＬＣ）  ・・・（３）式
ここで、（３）式におけるＬＣ（コンパスモードの最低電池残量率レベルＬＣ）は、図１５に示した例では２０％である。
例えば、２次電池６２の残量率Ｒが６０％であった場合、コンパスモードにおける電池残量率ＲＣは、（３）式から
ＲＣ＝（６０％−２０％）／（１００％−２０％）＝５０％
となる。
【０１２４】
なお、実行動作モードがコンパスモードである状況でのＬＣＤ７０における表示は、図１６に示した表示に限るものではなく適宜変更可能である。
【０１２５】
＜ナビゲーションモード＞
実行動作モードがナビゲーションモードである場合、ナビゲーション開始スイッチＢが押下されるごとに、制御部６は、ＧＰＳレシーバー２を起動して衛星信号を受信し、衛星信号を用いて現在地の座標を取得する。
【０１２６】
続いて、制御部６は、現在地の座標と目的地情報とを用いて目的地までの距離と目的地の方位とを算出する。なお、図１８に示した例では、制御部６は、目的地情報として、ＬＣＤ７０に表示された「３」の番号７０ｇの付された地点の座標を用いている。
【０１２７】
続いて、制御部６は、磁気センサー３を起動して磁気センサー３で地磁気の向きを計測することで北の方向を決定する。この際、制御部６は、磁気センサー３が計測した磁北の方向を、予め記憶部５に記憶されている偏角の情報で補正して真北の方向を決定する。なお、記憶部５が、偏角と位置座標との関係を表す偏角テーブルを記憶している場合、制御部６は、現在地の座標に対応する偏角を偏角テーブルから読み出し、その読み出した偏角を用いて磁北の方向を補正して、真北の方向を決定してもよい。続いて、制御部６は、北の方向と目的の方位とに基づいて目的地の方向を決定する。
【０１２８】
続いて、制御部６は、例えば図１８に示したように、ＬＣＤ７０が、北の方向７０ｄと、目的地の方向７０ｈと、目的地までの距離７０ｉと、時刻７０ｂと、電池残量７０ｃと、番号７０ｇと、ナビゲーションモード表示７０ｊとを表示するように、ＬＣＤドライバー７１を制御する。
この際、制御部６は、２次電池６２の残量率Ｒがナビゲーションモードの最低電池残量率レベル以上である場合に、電池残量７０ｃを表示する。因みに、制御部６は、２次電池６２の残量率Ｒがナビゲーションモードの最低電池残量率レベル以上である場合に、電子時計Ｗ１の実行動作モードをナビゲーションモードに移行できる。
【０１２９】
制御部６は、例えば、ナビゲーションモードにおける電池残量率ＲＮを上述した（１）式を用いて算出する。
例えば、２次電池６２の残量率Ｒが６０％であった場合、ナビゲーションモードにおける電池残量率ＲＮは、（１）式から
ＲＮ＝（６０％−５０％）／（１００％−５０％）＝２０％
となる。
【０１３０】
なお、実行動作モードがナビゲーションモードである状況でのＬＣＤ７０における表示は、図１８に示した表示に限るものではなく適宜変更可能である。
【０１３１】
本実施形態によれば、例えば、図１３（時刻表示モードに対応）、図１７（コンパスモードに対応）、および図１８（ナビゲーションモードに対応）に示したように、２次電池６２の残量率Ｒが同一である場合にも、電池残量７０ｃの表示態様は、動作モードごとに異なる。具体的には、電池残量７０ｃの表示態様は、実行動作モードになった動作モードの最低電池残量率レベルに応じて切り替わる。このため、各動作モードについての実質的な電池残量を直感的に分かりやすく表示可能になる。
【０１３２】
＜第２実施形態の変形例＞
本発明は、上述した実施形態に限定されるものではなく、例えば、次に述べるような各種の変形が可能である。また、次に述べる変形の態様の中から任意に選択された一または複数の変形を適宜組み合わせることもできる。
【０１３３】
＜変形例１＞
本実施形態においても、第１実施形態で示したように変形（例えば、変形例２〜変形例４）がなされてもよい。なお、第２実施形態において変形例４の変形がなされた場合、制御部６は、ＬＣＤドライバー７１を制御して、ナビゲーションモードの実行可能回数（推定値）をＬＣＤ７０に表示する。
【符号の説明】
【０１３４】
Ａ…地点登録スイッチ、Ｂ…ナビゲーション開始スイッチ、Ｃ…竜頭スイッチ、Ｄ…方位切り替えスイッチ、Ｗ…電子時計、１…ＲＴＣ、２…ＧＰＳレシーバー、３…磁気センサー、４…電池残量検出部、５…記憶部、６…制御部、１０…時刻表示部、１１…時針、１２…分針、１３…指針、２０…６時側情報表示部、２２…モード表示針、３０…２時側情報表示部、３２…残量指針、４０…１０時側情報表示部、４３…距離表示針、５１…日車、６０…太陽電池、６１…充放電制御部、６２…２次電池、６３…電源部、２０１〜２０６…輪列機構、３０１〜３０６…ステッピングモーター、４０１〜４０６…モータードライバー。
【図１】
2017181074.tif 000003
【図２】
2017181074.tif 000004
【図３】
2017181074.tif 000005
【図４】
2017181074.tif 000006
【図５】
2017181074.tif 000007
【図６】
2017181074.tif 000008
【図７】
2017181074.tif 000009
【図８】
2017181074.tif 000010
【図９】
2017181074.tif 000011
【図１０】
2017181074.tif 000012
【図１１】
2017181074.tif 000013
【図１２】
2017181074.tif 000014
【図１３】
2017181074.tif 000015
【図１４】
2017181074.tif 000016
【図１５】
2017181074.tif 000017
【図１６】
2017181074.tif 000018
【図１７】
2017181074.tif 000019
【図１８】
2017181074.tif 000020